(57)【要約】【課題】  負荷電流を供給するとともに伝送信号を送信するための構成及び制御を簡易にできる電源装置、及び照明システムを提供する。【解決手段】  電源装置１では、信号制御回路１ｅが、信号生成回路１ｂを制御して、出力部１ｃから伝送信号を送信する。信号制御回路１ｅは、複数の経路Ｙ１、Ｙ２のうち、出力部１ｃから出力される負荷電流Ｉｏが流れる経路を切り換えることで、伝送信号を送信する。複数の経路Ｙ１、Ｙ２のそれぞれは、負荷電流Ｉｏが流れているときに第１端Ｔ１と第２端Ｔ２との間に調整電圧Ｖ３をそれぞれ生成し、複数の経路Ｙ１、Ｙ２が生成する調整電圧Ｖ３の値は互いに異なる。【選択図】図４
2020068071.tif 000002
【特許請求の範囲】
【請求項１】
一対の電路に直流電圧を印加する直流電源と、
並列接続された複数の経路を第１端と第２端との間に有して、前記一対の電路の一方に前記第１端を接続した信号生成回路と、
前記一対の電路の他方と前記第２端との間の電圧を給電電圧として出力する出力部と、
前記信号生成回路を制御して、前記出力部から伝送信号を送信する信号制御回路と、を備え、
前記信号制御回路は、前記複数の経路のうち、前記出力部から出力される負荷電流が流れる経路を切り換えることで、前記伝送信号を送信し、
前記信号生成回路は、前記負荷電流が流れる経路が切り換わると、前記第１端と前記第２端との間に生じる調整電圧の値を切り換える
電源装置。
【請求項２】
前記直流電圧は、前記信号生成回路と前記出力部との直列回路に印加される
請求項１の電源装置。
【請求項３】
前記複数の経路のうち少なくとも１つは、前記第１端と前記第２端との間を導通、遮断するスイッチ素子を有し、
前記信号制御回路は、前記スイッチ素子による前記導通と前記遮断とを切り換える
請求項１又は２の電源装置。
【請求項４】
前記複数の経路のうち少なくとも１つは、
直列接続されたダイオードと制御電源とを有し、
前記制御電源は、直流の制御電圧を生成し、
前記ダイオードのアノードは、前記スイッチ素子の高電位側の端子に接続され、
前記ダイオードのカソードは、前記制御電源に接続される
請求項３の電源装置。
【請求項５】
前記複数の経路のうち少なくとも１つは、
前記第１端と前記第２端との間に接続された抵抗素子を有する
請求項３の電源装置。
【請求項６】
前記複数の経路のうち少なくとも１つは、
ダイオードを有し、
前記ダイオードのアノードは、前記スイッチ素子の高電位側の端子に接続される
請求項３の電源装置。
【請求項７】
前記複数の経路のうち少なくとも１つは、
ツェナダイオードを有し、
前記ツェナダイオードのカソードは、前記スイッチ素子の高電位側の端子に接続される
請求項３の電源装置。
【請求項８】
請求項１乃至７のいずれか一項の電源装置と、
前記電源装置から前記負荷電流を供給されて光源を点灯させる点灯装置と、を備え、
前記点灯装置は、前記伝送信号を受け取る信号受信部を具備する
照明システム。
【発明の詳細な説明】
【技術分野】
【０００１】
本発明は、一般に、電源装置、及び照明システムに関する。
【背景技術】
【０００２】
従来、ＬＥＤ照明端末に給電線を介して直流電力を供給するＬＥＤコントローラがある。例えば特許文献１のＬＥＤコントローラは、給電線に印加される直流電圧がＬＥＤコントローラによってパルス制御（デューティ制御）されることで、点灯電力量が変化し、ＬＥＤの点灯が調光制御される。しかしながら、このパルス制御は、信号伝送のためではなく、ＬＥＤ照明端末に供給する点灯電力量を変化させるために行われる。
【０００３】
そこで、特許文献１のＬＥＤコントローラは、ＬＥＤ照明端末の動作を制御する制御信号をＬＥＤ照明端末に送信するため、直流電源電圧に情報信号を重畳させる。ＬＥＤ照明端末は受信した情報信号に基づいて点灯電力量を変化させてＬＥＤの点灯を調光制御する。具体的に、ＬＥＤコントローラは、調光等の制御内容を持つ高周波の情報信号を制御信号として、直流電圧に重畳送信させる通信機能を備える。そして、ＬＥＤコントローラは、情報信号をＬＥＤ照明端末に給電線を介して送信する。
【先行技術文献】
【特許文献】
【０００４】
【特許文献１】特開２０１３−４８５５６号公報
【発明の概要】
【発明が解決しようとする課題】
【０００５】
上述のＬＥＤコントローラ（電源装置）は、高周波の情報信号を制御信号として、直流電圧（給電電圧）に重畳送信させる通信機能を有する必要がある。この結果、ＬＥＤ照明端末（照明器具）の点灯電力（負荷電流）を供給するとともに、制御信号（伝送信号）を送信するためには、装置の構成及び制御が複雑になっていた。
【０００６】
本発明の目的は、負荷電流を供給するとともに伝送信号を送信するための構成及び制御を簡易にできる電源装置、及び照明システムを提供することにある。
【課題を解決するための手段】
【０００７】
本発明の一態様に係る電源装置は、直流電源と、信号生成回路と、出力部と、信号制御回路と、を備える。前記直流電源は、一対の電路に直流電圧を印加する。前記信号生成回路は、並列接続された複数の経路を第１端と第２端との間に有して、前記一対の電路の一方に前記第１端を接続する。前記出力部は、前記一対の電路の他方と前記第２端との間の電圧を給電電圧として出力する。前記信号制御回路は、前記信号生成回路を制御して、前記出力部から伝送信号を送信する。前記信号制御回路は、前記複数の経路のうち、前記出力部から出力される負荷電流が流れる経路を切り換えることで、前記伝送信号を送信する。前記信号生成回路は、前記負荷電流が流れる経路が切り換わると、前記第１端と前記第２端との間に生じる調整電圧の値を切り換える。
【０００８】
本発明の一態様に係る照明システムは、上述の電源装置と、前記電源装置から前記負荷電流を供給されて光源を点灯させる点灯装置と、を備え、前記点灯装置は、前記伝送信号を受け取る信号受信部を具備する。
【発明の効果】
【０００９】
以上説明したように、本発明では、負荷電流を供給するとともに伝送信号を送信するための構成及び制御を簡易にできるという効果がある。
【図面の簡単な説明】
【００１０】
【図１】図１は、本発明の実施形態に係る電源装置を備える照明システムを示すブロック図である。
【図２】図２は、同上の電源装置の直流電源を示す回路図である。
【図３】図３は、同上の電源装置の情報取得部を示すブロック図である。
【図４】図４は、同上の電源装置の信号生成回路を示す回路図である。
【図５】図５は、同上の電源装置の動作を説明するタイミングチャートである。
【図６】図６は、同上の電源装置の第１変形例を示す回路図である。
【図７】図７は、同上の電源装置の第２変形例を示す回路図である。
【図８】図８は、同上の電源装置の第３変形例を示す回路図である。
【図９】図９は、同上の照明システムの第４変形例を示す回路図である。
【図１０】図１０は、同上の電源装置の第５変形例を示す回路図である。
【図１１】図１１は、同上の電源装置の第６変形例を示す回路図である。
【図１２】図１２は、同上の電源装置の第７変形例を示す回路図である。
【発明を実施するための形態】
【００１１】
以下の実施形態及び各変形例は、一般に、電源装置、及び照明システムに関する。より詳細には、直流電圧の値を変化させた伝送信号を点灯装置へ送信する電源装置、及び照明システムに関する。
【００１２】
そして、実施形態及び各変形例の電源装置、及び照明システムは、主に、オフィス、工場、店舗、事務所などで用いられる。また、実施形態及び各変形例の電源装置、及び照明システムは、戸建住宅、又は集合住宅の住戸で用いられることも可能である。
【００１３】
（実施形態）
以下、実施形態を図１−図５に基づいて説明する。
【００１４】
本実施形態の照明システムＡ１は、図１に示すように、電源装置１、照明器具２、及び調光器３を備える。
【００１５】
電源装置１は、直流電源１ａ、信号生成回路１ｂ、出力部１ｃ、情報取得部１ｄ、及び信号制御回路１ｅを有する。
【００１６】
直流電源１ａは、商用電源９の交流電圧Ｖａ（交流電力）を入力されて、交流電圧Ｖａを直流電圧Ｖ１に変換する電力変換処理（ＡＣ／ＤＣ変換）を行い、一対の電路Ｅ１１、Ｅ１２に直流電圧Ｖ１を印加するように構成されている。電路Ｅ１１の電位は、直流電圧Ｖ１の高電位になり、電路Ｅ１２の電位は、直流電圧Ｖ１の低電位になる。すなわち、一対の電路Ｅ１１、Ｅ１２に直流電圧Ｖ１が印加された場合、電路Ｅ１１の電位は、電路Ｅ１２の電位より高くなる。直流電源１ａは、直流電圧Ｖ１の値を所定値に調整する。本実施形態では、直流電圧Ｖ１の値を２４Ｖとしているが、直流電圧Ｖ１の値は特定の値に限定されない。但し、直流電圧Ｖ１の値は安全の観点から、５０Ｖ以下であることが好ましい。なお、商用電源９は、周波数５０Ｈｚ又は６０Ｈｚの交流電源である。
【００１７】
図２は、直流電源１ａの構成例を示す。直流電源１ａは、フィルタ１０１、整流器１０２、コンデンサ１０３、１０７、１１１、トランス１０４、スイッチング素子１０５、ダイオード１０６、抵抗素子１０８、１０９、１１０、シャントレギュレータ１１２、フォトカプラ１１３、及び電源制御部１１４、を有する。
【００１８】
直流電源１ａに入力された交流電圧Ｖａは、フィルタ１０１を介して、整流器１０２によって全波整流される。フィルタ１０１は、例えばノイズ除去用のインダクタ及びコンデンサ、サージアブソーバを有しており、不要な周波数成分（例えば高周波ノイズ）を減衰させる。整流器１０２は、例えばダイオードブリッジで構成された全波整流器である。整流器１０２の出力端間には、入力コンデンサであるコンデンサ１０３が接続され、コンデンサ１０３の両端間には、トランス１０４の一次巻線とスイッチング素子１０５との直列回路が接続される。スイッチング素子１０５は、例えばエンハンスメント形のＮチャネルＭＯＳＦＥＴ（Metal-Oxide-Semiconductor Field-Effect Transistor）である。図２では、コンデンサ１０３の正極にはトランス１０４の一次巻線の一端が接続し、トランス１０４の一次巻線の他端はスイッチング素子１０５のドレインに接続する。スイッチング素子１０５のソースは、コンデンサ１０３の負極に接続する。スイッチング素子１０５のゲートは、電源制御部１１４に接続する。なお、スイッチング素子１０５は、エンハンスメント形のＮチャネルＭＯＳＦＥＴ以外のトランジスタであってもよい。
【００１９】
トランス１０４の二次巻線の一端は、ダイオード１０６のアノードに接続し、ダイオード１０６のカソードは、コンデンサ１０７の正極に接続する。トランス１０４の二次巻線の他端は、コンデンサ１０７の負極に接続する。コンデンサ１０７は、平滑用の出力コンデンサであり、例えば電解コンデンサで構成される。コンデンサ１０７の正極は電路Ｅ１１に接続し、コンデンサ１０７の負極は電路Ｅ１２に接続する。すなわち、コンデンサ１０７の両端電圧が、直流電圧Ｖ１になる。コンデンサ１０７の両端間には、分圧用の抵抗素子１０９、１１０の直列回路が接続されており、抵抗素子１０９がハイサイド側、抵抗素子１１０がローサイド側に位置する。抵抗素子１１０の両端間には、コンデンサ１１１が接続する。さらに、コンデンサ１０７の正極は、抵抗素子１０８、フォトカプラ１１３のフォトダイオード、及びシャントレギュレータ１１２を介して、コンデンサ１１１の負極に接続する。フォトカプラ１１３のフォトトランジスタのコレクタ及びエミッタは、電源制御部１１４の入力ポートに接続している。
【００２０】
ここで、抵抗素子１０９、１１０の接続点の電圧はコンデンサ１１１で平滑されており、コンデンサ１１１の両端電圧は、直流電圧Ｖ１の平均値に相当する。また、直流電圧Ｖ１の高電位とコンデンサ１１１の負極との間には、抵抗素子１０８とフォトカプラ１１３の入力フォトダイオードとシャントレギュレータ１１２との直列回路が接続している。そして、シャントレギュレータ１１２は、シャントレギュレータ１１２の内部で基準電圧を生成しており、コンデンサ１１１の両端電圧と基準電圧との差分に応じて、シャントレギュレータ１１２に流れる電流を調整する。この結果、フォトカプラ１１３のフォトダイオードに流れる電流は、コンデンサ１１１の両端電圧に応じて増減する。そして、電源制御部１１４の入力ポートには、フォトカプラ１１３のフォトトランジスタのコレクタ及びエミッタが接続している。電源制御部１１４は、フォトカプラ１１３のフォトトランジスタに流れる電流を電圧データとして取得することで、直流電圧Ｖ１を監視している。
【００２１】
電源制御部１１４は、電圧データに基づいて、スイッチング素子１０５を高周波でオンオフすることで、交流電圧Ｖａの整流電圧を降圧した直流電圧Ｖ１を生成する。
【００２２】
直流電源１ａでは、トランス１０４、及びフォトカプラ１１３が、直流電源１ａの入力段（交流電圧Ｖａ）と出力段（直流電圧Ｖ１）とを電気的に絶縁する絶縁回路として機能している。したがって、直流電源１ａの入力段と出力段とが電気的に絶縁されていることによって、安全性が向上する。
【００２３】
信号生成回路１ｂは、図１に示すように、第１端Ｔ１、及び第２端Ｔ２を有する。第１端Ｔ１には、電路Ｅ１２が接続される。第２端Ｔ２には、電路Ｅ１３が接続される。信号生成回路１ｂは、一対の電路Ｅ１１、Ｅ１３に直流の給電電圧Ｖ２を印加するように構成されている。電路Ｅ１１の電位は、給電電圧Ｖ２の高電位になり、電路Ｅ１３の電位は、給電電圧Ｖ２の低電位になる。すなわち、一対の電路Ｅ１１、Ｅ１３に給電電圧Ｖ２が印加された場合、電路Ｅ１１の電位は、電路Ｅ１３の電位より高くなる。第１端Ｔ１と第２端Ｔ２との間の電圧（第２端Ｔ２からみた第１端Ｔ１の電圧）を調整電圧Ｖ３とすると、信号生成回路１ｂは、調整電圧Ｖ３の値を変化させることで、給電電圧Ｖ２の値を変化させることができる。
【００２４】
出力部１ｃは、一対の出力端子を有する。一対の出力端子には、一対の電路Ｅ１１、Ｅ１３がそれぞれ接続されて、給電電圧Ｖ２が印加される。一対の出力端子には、一対の給電路Ｅ２１、Ｅ２２がそれぞれ接続されている。電路Ｅ１１は、出力部１ｃを介して給電路Ｅ２１に接続し、電路Ｅ１３は、出力部１ｃを介して給電路Ｅ２２に接続している。さらに、一対の出力端子の間には、コンデンサ１３１（図４参照）が接続されることが好ましい。
【００２５】
一対の給電路Ｅ２１、Ｅ２２の間には、少なくとも１つの照明器具２が接続されている。照明器具２は、電源装置１によって一対の給電路Ｅ２１、Ｅ２２を介して給電電圧Ｖ２を印加され、電源装置１から一対の給電路Ｅ２１、Ｅ２２を介して負荷電流Ｉｏを供給される。つまり、照明器具２は、電源装置１を電源として動作する。電源装置１が照明器具２に供給する電力は直流電力であって、電源装置１から照明器具２への配電は直流配電である。照明器具２は、一対の給電路Ｅ２１、Ｅ２２を介して供給される直流電力によって点灯し、照明の対象となる空間を照明する。なお、図１では、一対の給電路Ｅ２１、Ｅ２２の間に１つの照明器具２が接続されているが、一対の給電路Ｅ２１、Ｅ２２の間には複数の照明器具２が接続されていてもよい。
【００２６】
調光器３は、商用電源９から供給される交流電圧Ｖａを位相制御して、位相制御電圧Ｖｂを生成し、位相制御電圧Ｖｂは情報取得部１ｄに入力される。つまり、調光器３は、位相制御電圧Ｖｂの半波毎の通電期間である導通角を調整し、本実施形態では、位相制御電圧Ｖｂの導通角が、調光レベルの指示値を表す指示情報に相当する。情報取得部１ｄは、調光レベルの指示値を表す指示情報を、位相制御電圧Ｖｂの導通角として受け取る。調光器３は、例えば、ユーザによって操作される例えばロータリー式又はスライド式の操作部を具備しており、ユーザが操作部を操作することで、導通角が調整される。
【００２７】
図３は、情報取得部１ｄの構成例を示す。情報取得部１ｄは、整流器１２１、読取部１２２、及びフォトカプラ１２３を有する。
【００２８】
整流器１２１は、位相制御電圧Ｖｂを全波整流する。読取部１２２は、位相制御電圧Ｖｂの整流電圧と判定基準値とを比較することで、位相制御電圧Ｖｂに同期してフォトカプラ１２３のフォトトランジスタをオン、オフさせる。読取部１２２は、位相制御電圧Ｖｂの半波毎に、導通角の大きさに対応するオンデューティでフォトカプラ１２３のフォトトランジスタをオンさせる。例えば、導通角が増加すると、オンデューティは増加し、導通角が減少すると、オンデューティは減少する。又は、導通角が増加すると、オンデューティは減少し、導通角が減少すると、オンデューティは増加してもよい。フォトカプラ１２３のフォトトランジスタのコレクタ及びエミッタが、信号制御回路１ｅの入力ポートに接続している。すなわち、信号制御回路１ｅの入力ポートには、位相制御電圧Ｖｂの半波毎に導通角に同期してオンオフする調光信号Ｓａが入力される。
【００２９】
信号制御回路１ｅは、情報取得部１ｄから調光信号Ｓａを受け取り、制御信号Ｓｂを信号生成回路１ｂへ出力する。制御信号Ｓｂは、信号生成回路１ｂを制御するための信号である。信号生成回路１ｂは、給電電圧Ｖ２の波形を変化させることで、調光信号Ｓａに基づく調光レベルを指示する伝送信号を照明器具２へ送信する。
【００３０】
信号制御回路１ｅは、コンピュータを備えている。このコンピュータがプログラムを実行することによって、信号制御回路１ｅの一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００３１】
図４は、信号生成回路１ｂの構成例を示す。信号生成回路１ｂは、スイッチ素子Ｑ１、及び抵抗素子Ｒ１を備える。スイッチ素子Ｑ１は、例えばエンハンスメント形のＮチャネルＭＯＳＦＥＴである。スイッチ素子Ｑ１のドレイン（スイッチ素子Ｑ１の高電位側の端子）は第２端Ｔ２に接続し、スイッチ素子Ｑ１のソース（スイッチ素子Ｑ１の低電位側の端子）は第１端Ｔ１に接続する。スイッチ素子Ｑ１のドレイン−ソース間には寄生ダイオードが生成されており、寄生ダイオードの順方向は、スイッチ素子Ｑ１のソースからドレインに向かう方向になる。抵抗素子Ｒ１は、スイッチ素子Ｑ１のドレイン−ソース間（第１端Ｔ１と第２端Ｔ２との間）に接続されている。この場合、第１端Ｔ１と第２端Ｔ２との間には、スイッチ素子Ｑ１を通る第１経路Ｙ１と、抵抗素子Ｒ１を通る第２経路Ｙ２とが形成されている。信号生成回路１ｂは、負荷電流Ｉｏが流れる経路が第１経路Ｙ１であるときの調整電圧Ｖ３の値と、負荷電流Ｉｏが流れる経路が第２経路Ｙ２であるときの調整電圧Ｖ３の値とが互いに異なるように動作する。
【００３２】
信号制御回路１ｅは、スイッチ素子Ｑ１のゲートに接続し、スイッチ素子Ｑ１をＰＷＭ（Pulse Width Modulation）制御するように構成されている。信号制御回路１ｅは、スイッチ素子Ｑ１のゲートに、図５の上段に示す制御信号Ｓｂを印加する。信号制御回路１ｅは、制御信号Ｓｂの電圧値（スイッチ素子Ｑ１のゲート電圧）を、スイッチ素子Ｑ１のオン電圧［Ｖｏｎ］（スイッチ素子Ｑ１のゲート・ソース閾値電圧より大きい電圧）に調整することで、スイッチ素子Ｑ１をオンさせる。また、信号制御回路１ｅは、制御信号Ｓｂの電圧値を０Ｖ（又は負の電圧値）に調整することで、スイッチ素子Ｑ１をオフさせる。そして、信号制御回路１ｅは、ＰＷＭ周期Ｗ１に対して制御信号Ｓｂがオン電圧［Ｖｏｎ］になる期間の比率であるオンデューティをＰＷＭ制御する。図５では、ＰＷＭ周期Ｗ１を一定にしており、制御信号Ｓｂがオン電圧［Ｖｏｎ］になるオン期間をＷｏｎとすると、オンデューティはＷｏｎ／Ｗ１になる。また、制御信号Ｓｂが０Ｖになるオフ期間をＷｏｆｆとすると、オフデューティはＷｏｆｆ／Ｗ１になる。制御信号ＳｂのＰＷＭ周波数（ＰＷＭ周期Ｗ１の逆数）は、例えば１．２ｋＨｚであるが、この値に限定されない。
【００３３】
スイッチ素子Ｑ１がオンすると、第１端Ｔ１と第２端Ｔ２との間（電路Ｅ１２と電路Ｅ１３との間）は、スイッチ素子Ｑ１（第１経路Ｙ１）を介して導通する。スイッチ素子Ｑ１のオン抵抗は、抵抗素子Ｒ１の抵抗値に比べて非常に小さく、ほぼ０Ωとみなすことができる。この場合、第２端Ｔ２から流れ込んだ負荷電流Ｉｏは、抵抗素子Ｒ１には殆ど流れず、スイッチ素子Ｑ１を通って第１端Ｔ１から流れ出る。したがって、第１端Ｔ１と第２端Ｔ２との間に発生する調整電圧Ｖ３の値はほぼ０Ｖになる。この結果、スイッチ素子Ｑ１がオンすると、給電電圧Ｖ２の値は、直流電圧Ｖ１の値にほぼ等しい［Ｖ２１］になる（図５参照）。
【００３４】
スイッチ素子Ｑ１がオフすると、第１端Ｔ１と第２端Ｔ２との間は、抵抗素子Ｒ１（第２経路Ｙ２）のみを介して電気的につながる。この場合、第２端Ｔ２から流れ込んだ負荷電流Ｉｏは、抵抗素子Ｒ１を通って第１端Ｔ１から流れ出る。したがって、抵抗素子Ｒ１の両端間には、負荷電流Ｉｏと抵抗素子Ｒ１の抵抗値との積に等しい電圧降下が発生する。この抵抗素子Ｒ１の電圧降下が、第１端Ｔ１と第２端Ｔ２との間に発生する調整電圧Ｖ３になる。この結果、スイッチ素子Ｑ１がオンすると、図５の下段に示す給電電圧Ｖ２の値は、直流電圧Ｖ１の値から調整電圧Ｖ３の値を引いた［Ｖ２２］になる（図５参照）。
【００３５】
スイッチ素子Ｑ１がオフしたときの調整電圧Ｖ３の値［Ｖ３１］は、スイッチ素子Ｑ１がオンしたときの調整電圧Ｖ３の値（ほぼ０Ｖ）よりも大きくなる。したがって、給電電圧Ｖ２の値［Ｖ２２］は、給電電圧Ｖ２の値［Ｖ２１］よりも小さくなる（図５参照）。例えば、給電電圧Ｖ２の値［Ｖ２１］は２４Ｖ、給電電圧Ｖ２の値［Ｖ２２］は２０Ｖとすることが好ましい。但し、給電電圧Ｖ２の値［Ｖ２１］、及び給電電圧Ｖ２の値［Ｖ２２］はそれぞれ、特定の値に限定されることはなく、［Ｖ２１］＞［Ｖ２２］の関係を満たせばよい。
【００３６】
また、給電電圧Ｖ２の値［Ｖ２２］は、以下のように規定することもできる。スイッチ素子Ｑ１がオフのときの負荷の抵抗成分（電源装置１の出力部１ｃから給電路Ｅ２１、Ｅ２２側をみた場合の抵抗成分）の値を［Ｒ０］とし、抵抗素子Ｒ１の抵抗値を［Ｒ１］とする。この場合、給電電圧Ｖ２の値［Ｖ２２］は、［Ｖ２１］・｛［Ｒ０］／（Ｒ０＋［Ｒ１］）｝になる。
【００３７】
上述のように、信号制御回路１ｅは、スイッチ素子Ｑ１をＰＷＭ制御することで、負荷電流Ｉｏが通る第１端Ｔ１と第２端Ｔ２との間の経路を、第１経路Ｙ１及び第２経路Ｙ２のいずれかに切り換える。信号制御回路１ｅは、第１端Ｔ１と第２端Ｔ２との間の経路を、第１経路Ｙ１及び第２経路Ｙ２のいずれかに切り換えることで、給電電圧Ｖ２にＰＷＭ変調された伝送信号を重畳させて、給電路Ｅ２１、Ｅ２２を介して照明器具２へ伝送信号を送信できる。この場合、給電電圧Ｖ２の値は、ＰＷＭ周期Ｗ１毎に［Ｖ２１］になる。そして、給電電圧Ｖ２の値は、制御信号Ｓｂのオン期間Ｗｏｎに亘って［Ｖ２１］になる。したがって、ＰＷＭ周期Ｗ１に対して給電電圧Ｖ２の値が［Ｖ２１］になる期間の比率である給電電圧Ｖ２のオンデューティは、制御信号Ｓｂのオンデューティと同じ（又はほぼ同じ）になる（図５参照）。
【００３８】
上述の信号生成回路１ｂは、スイッチ素子Ｑ１及び抵抗素子Ｒ１を有して、スイッチ素子Ｑ１がオンオフすることで、給電電圧Ｖ２に伝送信号を重畳できる。すなわち、信号生成回路１ｂは、給電電圧Ｖ２の値を、従来に比べて簡易な構成及び制御で切り換えることができる。したがって、電源装置１は、従来に比べて簡易な構成及び制御で、負荷電流Ｉｏを供給するとともに伝送信号を送信することができる。
【００３９】
また、給電電圧Ｖ２の値［Ｖ２２］は、［Ｖ２１］よりも小さいが、０Ｖよりは大きい。さらに、給電電圧Ｖ２の値［Ｖ２２］は、照明器具２の後述の点灯装置２ａの動作を可能にする大きさである。したがって、電源装置１は、給電電圧Ｖ２のオンデューティが小さい場合でも、点灯装置２ａを動作させるのに十分な動作電力を点灯装置２ａへ供給することができる。
【００４０】
照明器具２は、図１に示すように、点灯装置２ａ、及び光源２ｂを備える。点灯装置２ａは、信号受信部２０１、及び定電流回路２０２を具備する。光源２ｂは、複数の固体発光素子を有している。本実施形態において複数の固体発光素子の各々は、ＬＥＤ（Light Emitting Diode）であり、複数の固体発光素子は、直列接続されている。
【００４１】
なお、光源２ｂは、固体発光素子としてＬＥＤを有する構成に限らない。光源２ｂは、例えば、有機ＥＬ（Organic Electro Luminescence、OEL）、又は半導体レーザダイオード（Laser Diode、LD）などの他の固体発光素子を有していてもよい。また、固体発光素子の数は、複数に限らず、１つであってもよい。複数の固体発光素子の電気的な接続関係は直列接続であるが、この接続関係に限らない。複数の固体発光素子の電気的な接続関係は、並列接続であってもよいし、直列接続と並列接続とを組み合わせた接続関係であってもよい。
【００４２】
信号受信部２０１は、一対の給電路Ｅ２１、Ｅ２２の給電電圧Ｖ２を監視しており、給電電圧Ｖ２の電圧値を閾値と比較することで、ＰＷＭ変調された伝送信号から伝送データを読み取ることができる。つまり、信号受信部２０１は、給電電圧Ｖ２の電圧値の変化に基づいて、給電電圧Ｖ２のオンデューティを検出する（読み取る）。信号受信部２０１は、給電電圧Ｖ２のオンデューティと同じオンデューティ又はオフデューティのＰＷＭ信号Ｓｃ（図１参照）を定電流回路２０２へ出力する。
【００４３】
定電流回路２０２は、一対の給電路Ｅ２１、Ｅ２２から給電電圧Ｖ２を入力されて、光源２ｂに点灯電流を供給して光源２ｂを点灯させる。定電流回路２０２は、光源２ｂに供給する点灯電流の値を目標電流値に一致させるように、定電流制御を行う。そして、定電流回路２０２は、ＰＷＭ信号Ｓｃに基づいて、定電流制御を行う動作期間、及び定電流制御を行わずに点灯電流を０にする停止期間を設定する。ＰＷＭ信号Ｓｃのオンデューティ又はオフデューティは、給電電圧Ｖ２のオンデューティと同じであり、定電流回路２０２は、ＰＷＭ周期Ｗ１毎に動作期間を開始して定電流制御を行い、オン期間Ｗｏｎ（図５参照）に亘って定電流制御を行う。そして、定電流回路２０２は、オン期間Ｗｏｎが終了すると、停止期間を開始して、定電流制御を行わずに点灯電流を０にする。そして、ＰＷＭ周期Ｗ１毎に動作期間を繰り返す。このとき、ＰＷＭ周期Ｗ１に対する動作期間の比率は、給電電圧Ｖ２のオンデューティと同じになる。定電流回路２０２は、例えば、レギュレータ、降圧コンバータ、又は昇圧コンバータなどを有する。
【００４４】
したがって、光源２ｂには、ＰＷＭ周期Ｗ１のうち、オン期間Ｗｏｎに点灯電流が供給され、オン期間Ｗｏｎ以外では点灯電流が供給されない。オン期間Ｗｏｎが長いほど、光源２ｂの調光レベルは高くなり、オン期間Ｗｏｎが短いほど、光源２ｂの調光レベルは低くなる。すなわち、定電流回路２０２は、ＰＷＭ調光を行う。
【００４５】
上述のように、信号受信部２０１は、給電電圧Ｖ２のオンデューティと同じオンデューティ又はオフデューティに設定したＰＷＭ信号Ｓｃを生成する。定電流回路２０２は、ＰＷＭ信号Ｓｃのオン期間を動作期間に設定する。すなわち、定電流回路２０２の動作期間は、ＰＷＭ信号Ｓｃに同期する。したがって、信号受信部２０１及び定電流回路２０２での信号処理は簡易な信号処理になり、信号受信部２０１及び定電流回路２０２の各信号処理回路は、ディスクリート部品、ロジックＩＣ、又は制御用ＩＣ（Integrated Circuit）などで構成可能になる。すなわち、点灯装置２ａは、プログラムを実行することで動作するプロセッサを備える必要はなく、構成の簡略化を図ることができる。
【００４６】
また、信号生成回路１ｂのスイッチ素子Ｑ１がオフのときに、照明器具２の定電流制御を停止して、負荷電流Ｉｏを減少させると、抵抗素子Ｒ１での消費電力（＝Ｉｏ・［Ｒ１］）も低減できる。但し、光源２ｂが発する光のちらつきを人の目に感じさせないようにするためには、制御信号ＳｂのＰＷＭ周波数は、５００Ｈｚ以上であることが好ましい。
【００４７】
なお、定電流回路２０２は、光源２ｂをＰＷＭ調光する上述の構成に限定されない。例えば、定電流回路２０２は、ＰＷＭ信号Ｓｃのオンデューティ又はオフデューティが大きいほど目標電流値を増加させて、点灯電流の大きさを調整し、光源２ｂを振幅調光する構成であってもよい。また、定電流回路２０２は、振幅調光及びＰＷＭ調光を組み合わせて実行する構成であってもよい。
【００４８】
また、点灯装置２ａは、定電流回路２０２の代わりに定電圧回路を備えて、光源２ｂに印加する電圧（点灯電圧）をＰＷＭ制御してもよい。さらに、定電圧回路は、ＰＷＭ信号Ｓｃのオンデューティ又はオフデューティに応じて点灯電圧の大きさを調整し、光源２ｂを振幅調光する構成であってもよい。また、定電圧回路は、振幅調光及びＰＷＭ調光を組み合わせて実行する構成であってもよい。
【００４９】
また、給電電圧Ｖ２に重畳される伝送信号は、ＰＷＭ変調された伝送信号に限定されない。例えば、伝送信号は、給電電圧Ｖ２を２値以上の振幅のいずれかに切り換える振幅変調、又は給電電圧Ｖ２に重畳される伝送信号の周波数を２値以上の周波数のいずれかに切り換えるＦＳＫ（Frequency Shift Keying）などの他の変調方式で変調された伝送信号であってもよい。
【００５０】
伝送信号が例えばＨ（High）及びＬ（Low）の各値を含むように振幅変調された場合、信号受信部２０１は、給電電圧Ｖ２の値からＨ及びＬの各値を２値情報として読み取り、定電流回路２０２は、この２値情報に基づいて光源２ｂを調光制御してもよい。この場合、信号受信部２０１は、給電電圧Ｖ２の立ち上がり及び立ち下がりを２値情報として読み取り、定電流回路２０２は、この２値情報に基づいて光源２ｂを調光制御してもよい。
【００５１】
また、スイッチ素子Ｑ１は、エンハンスメント形のＮチャネルＭＯＳＦＥＴに限定されない。スイッチ素子Ｑ１は、例えば、エンハンスメント形のＰチャネルＭＯＳＦＥＴ、デプレッション型のＭＯＳＦＥＴ、ジャンクションＦＥＴ、バイポーラトランジスタ、又はサイリスタなどの他のスイッチ素子であってもよい。
【００５２】
また、信号制御回路１ｅは、スイッチ素子Ｑ１の駆動回路を信号制御回路１ｅの内部に備えているが、信号制御回路１ｅの外部に備えてもよい。
【００５３】
また、位相制御電圧Ｖｂの導通角が表す情報は、調光レベルの指示値に限定されない。例えば、位相制御電圧Ｖｂの導通角は、調色（光の色温度）のような調光レベル以外の光源２ｂの状態を指示する指示情報に相当してもよい。この場合、伝送信号は、調光レベル以外の光源２ｂの状態（調色など）を指示し、点灯装置２ａは、指示された点灯状態になるように、光源２ｂの点灯状態を制御する。
【００５４】
また、情報取得部１ｄが受け取る指示情報は、位相制御電圧Ｖｂの導通角に限定されない。例えば、情報取得部１ｄは、外部のコントローラから、所定の変調方式で変調されたデジタル信号又はアナログ信号を受け取り、デジタル信号又はアナログ信号を復調することで、指示情報を取得してもよい。外部のコントローラから情報取得部１ｄへの信号伝送は、有線通信及び無線通信のいずれであってもよい。有線通信は、ツイストペアケーブル、専用通信線、又はＬＡＮ（Local Area Network）ケーブルなどを介して行われる。無線通信は、無線ＬＡＮ、小電力無線、又は赤外線通信などによって行われる。
【００５５】
また、照明器具２の種類は、ダウンライト、又はスポットライトであることが好ましいが、他の種類であってもよい。
【００５６】
（第１変形例）
図６は、信号生成回路１ｂの第１変形例を示す。
【００５７】
第１変形例の信号生成回路１ｂは、スイッチ素子Ｑ１、及びダイオードユニットＤ１を備える。すなわち、第１変形例の信号生成回路１ｂでは、上述の実施形態の信号生成回路１ｂの抵抗素子Ｒ１（図４参照）がダイオードユニットＤ１に置き換えられている。ダイオードユニットＤ１は、複数のダイオードの直列回路で構成されている。ダイオードユニットＤ１では、隣り合う一対のダイオードのうち一方のダイオードのカソードが、他方のダイオードのアノードに接続している。そして、ダイオードユニットＤ１の一端のダイオードのカソードが第１端Ｔ１に接続し、ダイオードユニットＤ１の他端のダイオードのアノードが第２端Ｔ２に接続する。すなわち、ダイオードユニットＤ１は、第２端Ｔ２から第１端Ｔ１に向かって順方向となるように、第１端Ｔ１と第２端Ｔ２との間に接続されている。この場合、第１端Ｔ１と第２端Ｔ２との間には、スイッチ素子Ｑ１を通る第１経路Ｙ１と、ダイオードユニットＤ１を通る第２経路Ｙ２とが形成されている。
【００５８】
スイッチ素子Ｑ１がオンすると、第１端Ｔ１と第２端Ｔ２との間は、スイッチ素子Ｑ１（第１経路Ｙ１）を介して導通する。第２端Ｔ２から流れ込んだ負荷電流Ｉｏがスイッチ素子Ｑ１を通って第１端Ｔ１から流れ出たとしても、スイッチ素子Ｑ１のオン抵抗によって生じるスイッチ素子Ｑ１の両端電圧（ドレイン−ソース間電圧）は、ダイオードユニットＤ１の順方向電圧（複数のダイオードの各順方向電圧の和）に比べて小さい。したがって、負荷電流Ｉｏは、ダイオードユニットＤ１には殆ど流れず、第１端Ｔ１と第２端Ｔ２との間に発生する調整電圧Ｖ３の値はほぼ０になる。この結果、スイッチ素子Ｑ１がオンすると、給電電圧Ｖ２の値は、直流電圧Ｖ１の値にほぼ等しい［Ｖ２１］になる（図５参照）。
【００５９】
スイッチ素子Ｑ１がオフすると、第１端Ｔ１と第２端Ｔ２との間は、ダイオードユニットＤ１（第２経路Ｙ２）のみを介して電気的につながる。この場合、第２端Ｔ２から流れ込んだ負荷電流Ｉｏは、ダイオードユニットＤ１を通って第１端Ｔ１から流れ出る。したがって、ダイオードユニットＤ１の両端間には、複数のダイオードの各順方向電圧の和に等しい電圧降下が発生する。このダイオードユニットＤ１の電圧降下が、第１端Ｔ１と第２端Ｔ２との間に発生する調整電圧Ｖ３になる。この結果、スイッチ素子Ｑ１がオンすると、給電電圧Ｖ２の値は、直流電圧Ｖ１の値から調整電圧Ｖ３の値を引いた［Ｖ２２］になる（図５参照）。例えば、複数のダイオードの数をＮ個とし、各ダイオードの順方向電圧をＶｆ（例えば１Ｖ程度）とすると、調整電圧Ｖ３の値は、Ｎ・Ｖｆとなる。調整電圧Ｖ３の値は、複数のダイオードの数「Ｎ」を適宜設定することで調整できる。
【００６０】
したがって、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００６１】
上述の信号生成回路１ｂは、スイッチ素子Ｑ１及びダイオードユニットＤ１を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００６２】
（第２変形例）
図７は、信号生成回路１ｂの第２変形例を示す。
【００６３】
第２変形例の信号生成回路１ｂは、スイッチ素子Ｑ１、及びツェナダイオードＺＤ１を備える。すなわち、第２変形例の信号生成回路１ｂでは、上述の実施形態の信号生成回路１ｂの抵抗素子Ｒ１（図４参照）がツェナダイオードＺＤ１に置き換えられている。そして、ツェナダイオードＺＤ１のアノードが第１端Ｔ１に接続し、ツェナダイオードＺＤ１のカソードが第２端Ｔ２に接続する。すなわち、ツェナダイオードＺＤ１は、第２端Ｔ２から第１端Ｔ１に向かって逆方向となるように、第１端Ｔ１と第２端Ｔ２との間に接続されている。この場合、第１端Ｔ１と第２端Ｔ２との間には、スイッチ素子Ｑ１を通る第１経路Ｙ１と、ツェナダイオードＺＤ１を通る第２経路Ｙ２とが形成されている。
【００６４】
スイッチ素子Ｑ１がオンすると、第１端Ｔ１と第２端Ｔ２との間は、スイッチ素子Ｑ１（第１経路Ｙ１）を介して導通する。第２端Ｔ２から流れ込んだ負荷電流Ｉｏがスイッチ素子Ｑ１を通って第１端Ｔ１から流れ出たとしても、スイッチ素子Ｑ１のオン抵抗によって生じるスイッチ素子Ｑ１の両端電圧（ドレイン−ソース間電圧）は、ツェナダイオードＺＤ１のツェナ電圧に比べて小さい。したがって、負荷電流Ｉｏは、ツェナダイオードＺＤ１には殆ど流れず、第１端Ｔ１と第２端Ｔ２との間に発生する調整電圧Ｖ３の値はほぼ０になる。この結果、スイッチ素子Ｑ１がオンすると、給電電圧Ｖ２の値は、直流電圧Ｖ１の値にほぼ等しい［Ｖ２１］になる（図５参照）。
【００６５】
スイッチ素子Ｑ１がオフすると、第１端Ｔ１と第２端Ｔ２との間は、ツェナダイオードＺＤ１（第２経路Ｙ２）のみを介して電気的につながる。この場合、第２端Ｔ２から流れ込んだ負荷電流Ｉｏは、ツェナダイオードＺＤ１を通って第１端Ｔ１から流れ出る。したがって、ツェナダイオードＺＤ１の両端間には、ツェナダイオードＺＤ１のツェナ電圧が発生する。このツェナダイオードＺＤ１のツェナ電圧が、第１端Ｔ１と第２端Ｔ２との間に発生する調整電圧Ｖ３になる。この結果、スイッチ素子Ｑ１がオンすると、給電電圧Ｖ２の値は、直流電圧Ｖ１の値から調整電圧Ｖ３の値を引いた［Ｖ２２］になる（図５参照）。調整電圧Ｖ３の値は、ツェナダイオードＺＤ１のツェナ電圧によって調整できる。
【００６６】
したがって、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００６７】
上述の信号生成回路１ｂは、スイッチ素子Ｑ１及びツェナダイオードＺＤ１を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００６８】
（第３変形例）
図８は、信号生成回路１ｂの第３変形例を示す。
【００６９】
第３変形例の信号生成回路１ｂは、スイッチ素子Ｑ１、制御電源Ｋ１、コンデンサＣ１、及びダイオードＤ２を備える。電路Ｅ１１と電路Ｅ１２との間には、制御電源Ｋ１とコンデンサＣ１との直列回路が接続されている。制御電源Ｋ１は、降圧チョッパー回路、シリーズレギュレータ、又は３端子レギュレータなどを有しており、直流電圧Ｖ１を入力として、直流の制御電圧Ｖｃを出力する。制御電圧Ｖｃは、コンデンサＣ１の両端間に印加される。ダイオードＤ２のアノードは、スイッチ素子Ｑ１のドレインに接続し、ダイオードＤ２のカソードは、コンデンサＣ１の正極（制御電圧Ｖｃの高電位）に接続する。すなわち、第１端Ｔ１と第２端Ｔ２との間には、コンデンサＣ１とダイオードＤ２との直列回路が接続されている。この場合、第１端Ｔ１と第２端Ｔ２との間には、スイッチ素子Ｑ１を通る第１経路Ｙ１と、コンデンサＣ１とダイオードＤ２との直列回路を通る第２経路Ｙ２とが形成されている。
【００７０】
スイッチ素子Ｑ１がオンすると、第１端Ｔ１と第２端Ｔ２との間は、スイッチ素子Ｑ１（第１経路Ｙ１）を介して導通する。第２端Ｔ２から流れ込んだ負荷電流Ｉｏがスイッチ素子Ｑ１を通って第１端Ｔ１から流れ出たとしても、スイッチ素子Ｑ１のオン抵抗によって生じるスイッチ素子Ｑ１の両端電圧（ドレイン−ソース間電圧）は、制御電圧ＶｃとダイオードＤ２の順方向電圧との和に比べて小さい。したがって、負荷電流Ｉｏは、ツェナダイオードＺＤ１には殆ど流れず、第１端Ｔ１と第２端Ｔ２との間に発生する調整電圧Ｖ３の値はほぼ０になる。この結果、スイッチ素子Ｑ１がオンすると、給電電圧Ｖ２の値は、直流電圧Ｖ１の値にほぼ等しい［Ｖ２１］になる（図５参照）。
【００７１】
スイッチ素子Ｑ１がオフすると、第１端Ｔ１と第２端Ｔ２との間は、コンデンサＣ１とダイオードＤ２との直列回路（第２経路Ｙ２）のみを介して電気的につながる。この場合、第２端Ｔ２から流れ込んだ負荷電流Ｉｏは、ダイオードＤ２及びコンデンサＣ１を通って第１端Ｔ１から流れ出る。このとき、コンデンサＣ１の両端間には制御電源Ｋ１によって制御電圧Ｖｃが印加されており、この制御電圧ＶｃとダイオードＤ２の順方向電圧との和が、第１端Ｔ１と第２端Ｔ２との間に発生する調整電圧Ｖ３になる。この結果、スイッチ素子Ｑ１がオンすると、給電電圧Ｖ２の値は、直流電圧Ｖ１の値から調整電圧Ｖ３の値を引いた［Ｖ２２］になる（図５参照）。
【００７２】
したがって、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００７３】
上述の信号生成回路１ｂは、スイッチ素子Ｑ１、制御電源Ｋ１、コンデンサＣ１、及びダイオードＤ２を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００７４】
（第４変形例）
第４変形例の電源装置１では、図９に示すように、電路Ｅ１１、Ｅ１２に対する信号生成回路１ｂの接続形態が、上述の実施形態、及び第１−第３変形例とは異なる。第４変形例では、信号生成回路１ｂの第１端Ｔ１には、電路Ｅ１１が接続される。第２端Ｔ２には、電路Ｅ１４が接続される。信号生成回路１ｂは、一対の電路Ｅ１４、Ｅ１２に直流の給電電圧Ｖ２を印加するように構成されている。電路Ｅ１４の電位は、給電電圧Ｖ２の高電位になり、電路Ｅ１２の電位は、給電電圧Ｖ２の低電位になる。すなわち、一対の電路Ｅ１４、Ｅ１２に給電電圧Ｖ２が印加された場合、電路Ｅ１４の電位は、電路Ｅ１２の電位より高くなる。第１端Ｔ１と第２端Ｔ２との間の電圧（第２端Ｔ２からみた第１端Ｔ１の電圧）を調整電圧Ｖ３とすると、信号生成回路１ｂは、調整電圧Ｖ３の値を変化させることで、給電電圧Ｖ２の値を変化させることができる。
【００７５】
出力部１ｃの一対の出力端子には、一対の電路Ｅ１４、Ｅ１２がそれぞれ接続されて、給電電圧Ｖ２が印加される。一対の出力端子には、一対の給電路Ｅ２１、Ｅ２２がそれぞれ接続されている。電路Ｅ１４は、出力部１ｃを介して給電路Ｅ２１に接続し、電路Ｅ１２は、出力部１ｃを介して給電路Ｅ２２に接続している。
【００７６】
この場合も、信号制御回路１ｅが信号生成回路１ｂを制御して、調整電圧Ｖ３の値を変化させることで、給電電圧Ｖ２の値を変化させることができる。
【００７７】
（第５変形例）
図１０は、第５変形例を示す。第５変形例では、第４変形例（図９参照）の電源装置１に、上述の実施形態（図４参照）の信号生成回路１ｂを組み合わせる。
【００７８】
第５変形例の信号生成回路１ｂは、スイッチ素子Ｑ１、及び抵抗素子Ｒ１を備える。スイッチ素子Ｑ１のドレインは第１端Ｔ１に接続し、スイッチ素子Ｑ１のソースは第２端Ｔ２に接続する。抵抗素子Ｒ１は、スイッチ素子Ｑ１のドレイン−ソース間（第１端Ｔ１と第２端Ｔ２との間）に接続されている。
【００７９】
したがって、上述の実施形態と同様に、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００８０】
上述の信号生成回路１ｂは、スイッチ素子Ｑ１及び抵抗素子Ｒ１を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００８１】
（第６変形例）
図１１は、第６変形例を示す。第６変形例では、第４変形例（図９参照）の電源装置１に、第１変形例（図６参照）の信号生成回路１ｂを組み合わせる。
【００８２】
第６変形例の信号生成回路１ｂは、スイッチ素子Ｑ１、及びダイオードユニットＤ１を備える。スイッチ素子Ｑ１のドレインは第１端Ｔ１に接続し、スイッチ素子Ｑ１のソースは第２端Ｔ２に接続する。ダイオードユニットＤ１の一端のダイオードのアノードが第１端Ｔ１に接続し、ダイオードユニットＤ１の他端のダイオードのカソードが第２端Ｔ２に接続する。すなわち、ダイオードユニットＤ１は、第１端Ｔ１から第２端Ｔ２に向かって順方向となるように、第１端Ｔ１と第２端Ｔ２との間に接続されている。
【００８３】
したがって、上述の第１変形例と同様に、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００８４】
上述の信号生成回路１ｂは、スイッチ素子Ｑ１及びダイオードユニットＤ１を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００８５】
（第７変形例）
図１２は、第７変形例を示す。第７変形例では、第４変形例（図９参照）の電源装置１に、第２変形例（図７参照）の信号生成回路１ｂを組み合わせる。
【００８６】
第７変形例の信号生成回路１ｂは、スイッチ素子Ｑ１、及びツェナダイオードＺＤ１を備える。スイッチ素子Ｑ１のドレインは第１端Ｔ１に接続し、スイッチ素子Ｑ１のソースは第２端Ｔ２に接続する。ツェナダイオードＺＤ１のアノードが第２端Ｔ２に接続し、ツェナダイオードＺＤ１のカソードが第１端Ｔ１に接続する。すなわち、ツェナダイオードＺＤ１は、第１端Ｔ１から第２端Ｔ２に向かって逆方向となるように、第１端Ｔ１と第２端Ｔ２との間に接続されている。
【００８７】
したがって、上述の第２変形例と同様に、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００８８】
上述の信号生成回路１ｂは、スイッチ素子Ｑ１及びツェナダイオードＺＤ１を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００８９】
（第８変形例）
また第４変形例（図９参照）の電源装置１に、第３変形例（図６参照）の信号生成回路１ｂを組み合わせてもよい。この場合も、上述の第４変形例と同様に、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００９０】
上述の信号生成回路１ｂは、スイッチ素子Ｑ１及びツェナダイオードＺＤ１を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００９１】
以上のように、実施形態に係る第１の態様の電源装置（１）は、直流電源（１ａ）と、信号生成回路（１ｂ）と、出力部（１ｃ）と、信号制御回路（１ｅ）と、を備える。直流電源（１ａ）は、一対の電路（Ｅ１１、Ｅ１２）に直流電圧（Ｖ１）を印加する。信号生成回路（１ｂ）は、並列接続された複数の経路（Ｙ１、Ｙ２）を第１端（Ｔ１）と第２端（Ｔ２）との間に有して、一対の電路（Ｅ１１、Ｅ１２）の一方に第１端（Ｔ１）を接続する。出力部（１ｃ）は、一対の電路（Ｅ１１、Ｅ１２）の他方と第２端（Ｔ２）との間の電圧を給電電圧（Ｖ２）として出力する。信号制御回路（１ｅ）は、信号生成回路（１ｂ）を制御して、出力部（１ｃ）から伝送信号を送信する。信号制御回路（１ｅ）は、複数の経路（Ｙ１、Ｙ２）のうち、出力部（１ｃ）から出力される負荷電流（Ｉｏ）が流れる経路を切り換えることで、伝送信号を送信する。信号生成回路（１ｂ）は、負荷電流（Ｉｏ）が流れる経路が切り換わると、第１端（Ｔ１）と第２端（Ｔ２）との間に生じる調整電圧（Ｖ３）の値を切り換える。
【００９２】
上述の電源装置（１）は、給電電圧（Ｖ２）の値を、従来に比べて簡易な構成及び制御で切り換えることができる。すなわち、電源装置（１）は、負荷電流（Ｉｏ）を供給するとともに伝送信号を送信するための構成及び制御を簡易にできる。
【００９３】
また、実施形態に係る第２の態様の電源装置（１）では、第１の態様において、直流電圧（Ｖ１）は、信号生成回路（１ｂ）と出力部（１ｃ）との直列回路に印加されることが好ましい。
【００９４】
上述の電源装置（１）は、給電電圧（Ｖ２）の値を、従来に比べて簡易な構成及び制御で切り換えることができる。
【００９５】
また、実施形態に係る第３の態様の電源装置（１）では、第１又は第２の態様において、複数の経路（Ｙ１、Ｙ２）のうち少なくとも１つは、第１端（Ｔ１）と第２端（Ｔ２）との間を導通、遮断するスイッチ素子（Ｑ１）を有することが好ましい。信号制御回路（１ｅ）は、スイッチ素子（Ｑ１）による導通と遮断とを切り換える。
【００９６】
上述の電源装置（１）は、給電電圧（Ｖ２）の値を、従来に比べて簡易な構成及び制御で切り換えることができる。
【００９７】
また、実施形態に係る第４の態様の電源装置（１）では、第３の態様において、複数の経路（Ｙ１、Ｙ２）のうち少なくとも１つは、直列接続されたダイオード（Ｄ２）と制御電源（Ｋ１）とを有することが好ましい。制御電源（Ｋ１）は、直流の制御電圧（Ｖｃ）を生成する。ダイオード（Ｄ２）のアノードは、スイッチ素子（Ｑ１）の高電位側の端子に接続され、ダイオード（Ｄ２）のカソードは、制御電源（Ｋ１）に接続される。
【００９８】
上述の電源装置（１）は、負荷電流（Ｉｏ）を供給するとともに伝送信号を送信するための構成及び制御を簡易にできる。
【００９９】
また、実施形態に係る第５の態様の電源装置（１）では、第３の態様において、複数の経路（Ｙ１、Ｙ２）のうち少なくとも１つは、第１端（Ｔ１）と第２端（Ｔ２）との間に接続された抵抗素子（Ｒ１）を有することが好ましい。
【０１００】
上述の電源装置（１）は、負荷電流（Ｉｏ）を供給するとともに伝送信号を送信するための構成及び制御を簡易にできる。
【０１０１】
また、実施形態に係る第６の態様の電源装置１では、第３の態様において、複数の経路（Ｙ１、Ｙ２）のうち少なくとも１つは、ダイオード（ダイオードユニットＤ１）を有することが好ましい。ダイオード（Ｄ１）のアノードは、スイッチ素子（Ｑ１）の高電位側の端子に接続される。
【０１０２】
上述の電源装置（１）は、負荷電流（Ｉｏ）を供給するとともに伝送信号を送信するための構成及び制御を簡易にできる。
【０１０３】
また、実施形態に係る第７の態様の電源装置（１）では、第３の態様において、複数の経路（Ｙ１、Ｙ２）のうち少なくとも１つは、ツェナダイオード（ＺＤ１）を有することが好ましい。ツェナダイオード（ＺＤ１）のカソードは、スイッチ素子（Ｑ１）の高電位側の端子に接続される。
【０１０４】
上述の電源装置（１）は、負荷電流（Ｉｏ）を供給するとともに伝送信号を送信するための構成及び制御を簡易にできる。
【０１０５】
さらに、実施形態に係る第８の態様の照明システム（Ａ１）は、第１乃至第７の態様のいずれか一つの電源装置（１）と、電源装置（１）から負荷電流（Ｉｏ）を供給されて光源（２ｂ）を点灯させる点灯装置（２ａ）と、を備える。点灯装置（２ａ）は、伝送信号を受け取る信号受信部（２０１）を具備する。
【０１０６】
上述の照明システム（Ａ１）は、負荷電流（Ｉｏ）を供給するとともに伝送信号を送信するための構成及び制御を簡易にできる。
【０１０７】
また、上述の実施形態及び変形例は一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【０１０８】
１  電源装置
１ａ  直流電源
１ｂ  信号生成回路
１ｃ  出力部
１ｅ  信号制御回路
２  照明器具
２ａ  点灯装置
２ｂ  光源
２０１  信号受信部
Ａ１  照明システム
Ｄ１  ダイオードユニット
Ｄ２  ダイオード
Ｅ１１、Ｅ１２  電路
Ｉｏ  負荷電流
Ｋ１  制御電源
Ｑ１  スイッチ素子
Ｒ１  抵抗素子
Ｔ１  第１端
Ｔ２  第２端
Ｖ１  直流電圧
Ｖ２  給電電圧
Ｖ３  調整電圧
Ｖｃ  制御電圧
Ｙ１、Ｙ２  経路
ＺＤ１  ツェナダイオード
【図１】
2020068071.tif 000003
【図２】
2020068071.tif 000004
【図３】
2020068071.tif 000005
【図４】
2020068071.tif 000006
【図５】
2020068071.tif 000007
【図６】
2020068071.tif 000008
【図７】
2020068071.tif 000009
【図８】
2020068071.tif 000010
【図９】
2020068071.tif 000011
【図１０】
2020068071.tif 000012
【図１１】
2020068071.tif 000013
【図１２】
2020068071.tif 000014